(57)【要約】【課題】  照明器具の照度を一定とする制御を行いつつ、照明設備に関するランニングコストを削減させることが可能な照明交換時期特定システムを提供する。【解決手段】  照明器具２５を利用する場合の交換時期を特定する照明器具交換システム１００であって、照度制御部５０と、データ記憶部６０と、消費電力入力部２２と、交換時期特定部７０と、出力部８０とを備えている。照度制御部５０は、照明器具２５の照度が一定になるように照度維持制御を行う。データ記憶部６０は、照明交換コストデータＤ１を格納している。消費電力入力部２２は、照度維持制御に要する消費電力コストＤ２データの入力を受付ける。交換時期特定部７０は、照明交換コストデータＤ１と消費電力コストデータＤ２とに基づいて照明器具２５の交換時期を特定する。出力部８０は、交換時期特定部７０によって特定される交換時期に基づいてモニタ出力を行う。【選択図】        図２
2007059133.tif 000002
【特許請求の範囲】
【請求項１】
照明器具（２５）を利用する場合の交換時期を特定する照明交換時期特定システム（１００）であって、
前記照明器具（２５）の照度が一定になるように照度維持制御を行う照度制御部（５０、２１）と、
前記照明器具（２５）の交換に要するコストについての交換コストデータ（Ｄ１）を格納する記憶部（６０）と、
前記照度維持制御に要する消費電力または電力コストに関する消費データ（Ｄ２）を取得する消費データ取得部（６５、２２）と、
前記交換コストデータ（Ｄ１）と前記消費データ（Ｄ２）とに基づいて前記照明器具（２５）の交換時期を特定する交換時期特定部（７０）と、
前記交換時期特定部（７０）によって特定される交換時期に基づいて出力を行う出力部（８０）と、
を備えた照明交換時期特定システム（１００）。
【請求項２】
前記出力部（８０）は、前記交換時期特定部（７０）によって特定された交換時期に基づいて報知を行う報知機能を有している、
請求項１に記載の照明交換時期特定システム（１００）。
【請求項３】
前記記憶部（６０）の交換コストデータ（Ｄ１）には、照明器具コスト、交換人件費、廃棄コストおよび環境負荷値の少なくともいずれか１つが含まれており、
前記交換時期特定部（７０）は、前記交換コストデータ（Ｄ１）と前記消費データ（Ｄ２）とに基づいて所定期間に要するコストが最も低くなるように前記照明器具（２５）の交換時期を特定する、
請求項１または２に記載の照明交換時期特定システム（１００）。
【請求項４】
前記記憶部（６０）の交換コストデータ（Ｄ１）には、前記照明器具（２５）に関する一括購入数量別の単価データが含まれている、
請求項１から３のいずれか１項に記載の照明交換時期特定システム（１００）。
【請求項５】
前記記憶部（６０）の交換コストデータ（Ｄ１）には、前記照明器具（２５）の使用時間に応じた照度の減退に関する照度特性データが含まれており、
前記消費データ取得部（６５、２２）は、前記照度特性データに基づいて前記消費データ（Ｄ２）を取得する、
請求項１から４のいずれか１項に記載の照明交換時期特定システム（１００）。
【請求項６】
前記照度制御部（５０、２１）は、前記照度特性データに基づいて前記照明器具（２５）の照度を制御する、
請求項５に記載の照明交換時期特定システム（１００）。
【請求項７】
前記照明器具（２５）の照度を測定する照度測定部をさらに備え、
前記照度制御部（５０、２１）は、前記照度測定部による測定結果に基づいて前記照度維持制御を行う、
請求項１から６のいずれか１項に記載の照明交換時期特定システム（１００）。
【発明の詳細な説明】
【技術分野】
【０００１】
本発明は、照明交換時期特定システム、特に、照明器具を利用する場合の交換時期を特定する照明交換時期特定システムに関する。
【背景技術】
【０００２】
従来、コンビニやオフィス等において、照明エリアの照度を照明器具の制御によって調整するシステムが知られている。このようなコンビニ等では、照明器具が消費する電力が、その他の電化製品が消費する電力を含めたトータルコストのうちで、比較的高い割合を占めることが多い。このため、照明器具に関しては、特に省エネ化が望まれている。
そして、照明器具は、一般に、使用当初から照度が少しずつに低下するという経年変化の特質を有している。また、照明器具は、このような照度の減退が落ち着いた状態での値を基準として設計されている。このため、照度の減退が落ち着くまでの明るさ（設計照度を越える明るさ）は、余分な明るさとなっている場合がある。
【０００３】
これに対して、以下に示す特許文献１に記載の省エネ機能付き照明制御システムでは、上述の照明器具の経年変化や寿命の特質に基づいて照明器具の交換時期を報知するシステムが提案されている。この特許文献１に記載のシステムでは、設置されている照明器具に固有の初期照度を予め記憶させておき、照度センサによって照明エリアの照度を適当な時間間隔で検出している。そして、長期間の使用によって、検出される照度と初期照度との差が所定値以上になった場合に、照明器具が寿命であるとみなして、交換するべき旨をユーザに対して音等によって報知している。
【特許文献１】特開２００２−１００４８７号公報
【発明の開示】
【発明が解決しようとする課題】
【０００４】
ところが、上述した特許文献１に記載のシステムでは、照明器具の特性によって照度が少しずつ低下するため、照明エリアの照度を一定に維持することができない。
また、このシステムでは、照明器具の交換条件として、検出された照度と初期照度との差が所定値以上となることを採用している。このため、仮に照度を一定に維持する照度制御を適用できたとしても、照度を一定に維持できなくなって照度制御が不能になるほど使用されて寿命を終えるまでは、ユーザに対して交換を促すための報知がなされないことになる。このため、照明器具の交換を、適切なタイミングで行うことができないおそれがある。
【０００５】
本発明は上述した点に鑑みてなされたものであり、本発明の課題は、照明器具の照度を一定とする制御を行いつつ、照明設備に関するランニングコストを削減させることが可能な照明交換時期特定システムを提供することにある。
【課題を解決するための手段】
【０００６】
第１発明に係る照明交換時期特定システムは、照明器具を利用する場合の交換時期を特定する照明交換時期特定システムであって、照度制御部と、記憶部と、消費データ取得部と、交換時期特定部と、出力部とを備えている。照度制御部は、照明器具の照度が一定になるように照度維持制御を行う。記憶部は、照明器具の交換に要するコストについての交換コストデータを格納している。消費データ取得部は、照度維持制御に要する消費電力または電力コストに関する消費データを取得する。交換時期特定部は、交換コストデータと消費データとに基づいて照明器具の交換時期を特定する。出力部は、交換時期特定部によって特定される交換時期に基づいて出力を行う。なお、照度維持制御としては、例えば、照度が所定の条件を満たす場合に一定であるとして制御する場合等も含まれ、必ずしも全く同じ照度に維持することだけに限定されるものではない。また、照明器具としては、照度が減退する特性を有しているものであればよく、例えば、蛍光灯、水銀灯、ＬＥＤ等が含まれる。なお、照度制御部、記憶部、消費データ取得部、交換時期特定部、出力部の各構成要素は、一つの装置によって実現されてもよいし、それぞれ独立の装置によって実現されてもよい。
【０００７】
従来の照明交換システムでは、照明減退特性によって照度が低下するため、照度を一定に保つことができない。また、仮に照度を維持する制御をしたとしても、寿命によって照度が減退し、効率的な発光ができず、同じ照度を維持するために無駄なエネルギを消費してしまうことがある。
これに対して第１発明の照明交換時期特定システムでは、照度制御部が照明器具について照度維持制御を行うことで、照度を一定に保つことができる。そして、交換時期特定部は、記憶部に格納されている交換コストデータと、消費データ取得部が取得する消費データとに基づいて照明器具の交換時期を特定する。このため、交換時期特定部は、所定の期間内に要する照明器具自体の費用と消費電力による費用との合計のランニングコストを、交換コストデータと消費データとに基づいて低い額に抑えることが可能になる。発光効率が低下している照明器具に必要な消費電力コストを削減することができる。
【０００８】
例えば、発光効率の低下した照明器具の照度維持制御に要する消費電力コストが高くなっていく。このため、照明ランニングコストを考慮すると、照明器具の寿命を待って照明器具の交換を行うことが望ましいとは限らない。したがって、照明器具自体の価格を考慮しても、早めに照明器具を新しいものに交換して消費電力コストを削減させることで照明ランニングコストを低減させることができる場合がある。
このように、ここでは、照明器具の照度を一定とする制御を行いつつ、照明設備に関するランニングコストを削減させることが可能になる。
【０００９】
第２発明に係る照明交換時期特定システムは、第１発明の照明交換時期特定システムであって、出力部は、交換時期特定部によって特定された交換時期に基づいて報知を行う報知機能を有している。ここでの報知は、音や光を用いた報知が含まれる。また、特定された交換時期の報知のみならず、特定された交換時期よりも早めに行われる報知等も含まれる。
ここでは、照明器具の交換時期が報知されるため、ユーザは、照明器具についての交換時期について特別に意識することなく、適切な交換時期を把握することが可能になる。
【００１０】
第３発明に係る照明交換時期特定システムは、第１発明または第２発明の照明交換時期特定システムであって、記憶部の交換コストデータには、照明器具コスト、交換人件費、廃棄コストおよび環境負荷値の少なくともいずれか１つが含まれている。交換時期特定部は、交換コストデータと消費データとに基づいて所定期間に要するコストが最も低くなるように照明器具の交換時期を特定する。ここでの照明器具コストとしては、例えば、照明器具業者から照明器具を購入する際における単位本数当たりの価格等が含まれる。交換人件費としては、例えば、照明器具の交換を行うサービスエンジニアの労働の対価等が含まれる。また、廃棄コストとしては、例えば、発光効率の低下した照明器具の廃棄に際して要するコストが含まれる。環境負荷値としては、例えば、使用済みの照明器具を廃棄することによる環境への悪影響の度合いの数値化等が含まれる。
ここでは、交換時期特定部は、交換コストデータと消費データとに基づいて所定期間に要する照明器具に関するコストが最も低くなるように照明器具の交換時期を特定する。
これにより、ランニングコストを最も低くすることができる交換時期を把握することが可能になる。
【００１１】
第４発明に係る照明交換時期特定システムは、第１発明から第３発明のいずれかの照明交換時期特定システムであって、記憶部の交換コストデータには、照明器具に関する一括購入数量別の単価データが含まれている。
【００１２】
ここでは、交換コストデータとして、照明器具の単価データが一括購入数量別に格納されている。このため、交換時期特定部は、発光効率が低下して照度維持制御における消費電力量が増加している照明器具の使用をいつまで続けるのか判断する際に、一括で多量の照明器具を比較的安い単価で購入する場合と、一括で少量の照明器具を比較的高い単価で購入する場合とのコストの違いをさらに反映させることができる。
これにより、一括購入数量によって照明器具の単価が異なる場合に、照明器具の単価を考慮したランニングコストの効果的な削減が可能になる。
【００１３】
第５発明に係る照明交換時期特定システムは、第１発明から第４発明のいずれかの照明交換時期特定システムであって、記憶部の交換コストデータには、照明器具の使用時間に応じた照度の減退に関する照度特性データが含まれている。消費データ取得部は、照度特性データに基づいて消費データを取得する。ここでの照度特性データには、照明器具の寿命使用時間のデータ等も含まれる。
【００１４】
ここでは、消費データ取得部は、照度特性データに基づいて消費データを取得する。このため、ユーザは、照明器具が消費した消費電力コスト等のデータを手入力する必要が無くなる。
これにより、照明器具に応じた消費電力コストの把握を自動的に行うことが可能になる。
【００１５】
第６発明に係る照明交換時期特定システムは、第５発明の照明交換時期特定システムであって、照度制御部は、照度特性データに基づいて照明器具の照度を制御する。ここでの照度特性データには、照明器具の寿命使用時間のデータ等も含まれる。
ここでは、照明器具の特性に応じた照度維持制御を行うことで、消費電力コストを低減させることが可能になる。
これにより、ランニングコストをより効果的に削減することが可能になる。
【００１６】
第７発明に係る照明交換時期特定システムは、第１発明から第６発明のいずれかの照明交換時期特定システムであって、照明器具の照度を測定する照度測定部をさらに備えている。また、照度制御部は、照度測定部による測定結果に基づいて照度維持制御を行う。
ここでは、照明測定部が設けられていることで、照明エリアにおける照明器具による現実の照度を測定することができる。
【００１７】
これにより、実際の照明エリアの照度に基づいた照度維持制御を行うことにより、制御の精度を向上させることが可能になる。
【発明の効果】
【００１８】
第１発明に係る照明交換時期特定システムでは、照明器具の照度を一定とする制御を行いつつ、照明設備に関するランニングコストを削減させることが可能になる。
第２発明に係る照明交換時期特定システムでは、照明器具についての交換時期について特別に意識することなく、適切な交換時期を把握することが可能になる。
第３発明に係る照明交換時期特定システムでは、ランニングコストを最も低くすることができる交換時期を把握することが可能になる。
【００１９】
第４発明に係る照明交換時期特定システムでは、照明器具の単価を考慮したランニングコストの効果的な削減が可能になる。
第５発明に係る照明交換時期特定システムでは、照明器具に応じた消費電力コストの把握を自動的に行うことが可能になる。
第６発明に係る照明交換時期特定システムでは、ランニングコストをより効果的に削減することが可能になる。
【００２０】
第７発明に係る照明交換時期特定システムでは、実際の照明エリアの照度に基づいた照度維持制御を行うことにより、制御の精度を向上させることが可能になる。
【発明を実施するための最良の形態】
【００２１】
＜発明の概略＞
本発明は、照度減退等で寿命となる照明器具の交換時期を特定する照明交換時期特定システムを提供する。本発明の照明交換時期特定システムでは、照度を一定に維持することを前提とし、照明器具自体の価格や寿命間近で発光効率の低下した照明器具の消費電力コストを考慮して、ランニングコストを低く抑えることができるように交換時期を特定して出力している。本発明は、これにより、発光効率が低下して消費電力コストが増大する前の段階である早めの時期を照明器具の交換時期として特定することで、照明設備に関するランニングコストを削減するという点に特徴がある。
以下、本発明の一実施の形態が採用された照明器具交換システム１００について、具体的に説明する。
【００２２】
＜照明器具交換システム１００の概略構成＞
図１に、照明器具交換システム１００の概略構成を示す。また、図２に、照明器具交換システム１００のブロック構成図を示す。
【００２３】
この照明器具交換システム１００は、コンビニやスーパー等において採用され、照明器具による消費電力や照明器具自体の費用を算出することにより、コンビニ全体としての照明器具によるランニングコストを低減させるシステムである。
照明器具交換システム１００は、主として、コンビニチェーンを構成するコンビニ本部端末１０および各店舗（図１に示すＡ店、Ｂ店等参照）のコンビニ店舗端末２０と、照明販売・交換サービス会社端末３０とが互いにネットワーク９０を介して相互に接続されることにより構成されている。
【００２４】
コンビニ本部端末１０は、店舗毎の照明器具２５の管理を行う端末であって、ＣＰＵ等で構成されている照明制御部５０、ＲＯＭやＲＡＭ等で構成されているデータ記憶部６０、データ入力部６５、交換時期特定部７０、出力部８０によって構成されている。
データ記憶部６０には、照明交換コストデータＤ１と消費電力コストデータＤ２とが格納される。このうち、照明交換コストデータＤ１は、照明販売・交換サービス会社端末３０からネットワーク９０を介して入力され、格納されるデータであり、照明器具２５の交換に要するコストのデータである。具体的には、照明器具２５の単価や、交換サービスに対して支払う対価が格納されている。また、この照明交換コストデータＤ１としては、照明器具２５の照度減退特性、コンビニ店舗毎の照明器具２５の最新交換時期、寿命を終えた照明器具２５の廃棄に要するコスト、環境への悪影響を数値化したデータ等が含まれる。また、消費電力コストデータＤ２は、照明器具２５による消費電力コストのデータであり、コンビニ店舗端末２０の照明コントローラ２１に入力された消費電力のデータをネットワーク９０を介して受信することにより格納される。
【００２５】
なお、データ記憶部６０に格納される照度減退特性のデータとしては、例えば、図３に示すような積算使用時間と保守率との関係を示したデータ等が含まれている。ここで、保守率とは、照度の低下を補うための補正係数に関する値であり、使用時間の経過によって低下する照度を初期の照度で除した値として定義される。なお、図３は、屋内で用いられる蛍光灯を例に挙げている。
【００２６】
照明制御部５０は、照明器具２５の照度を一定に維持させるための照度制御データを作成する。具体的には、データ記憶部６０に格納されている照度減退特性のデータや最新交換時期のデータに基づいて、照明器具２５に対して供給する電力を調整するデータを作成し、コンビニ店舗端末２０の照明コントローラ２１に対して送信することで、コンビニ店舗の照度を一定に維持する。なお、照明器具２５は、一般に、しばらく使用して照度の減退が落ち着いた状態での照度を基準照度として販売されており、データ記憶部６０には、この基準のデータが格納されている。そして、落ち着いた基準の照度になるまでの間の使い初め時期における照度制御では、照明器具に費やす消費電力が予め少なくなるように設定されている。これにより、照度を一定に維持しつつ、初期の無駄な照明器具２５の消費電力コストを削減している。
【００２７】
データ入力部６５では、交換サービスに対して支払う対価、照明器具２５の照度減退特性、寿命を終えた照明器具２５の廃棄に要するコスト、環境への悪影響を数値化したデータ等の各種照明器具２５に関するデータの入力、データ更新を行うことができ、データ記憶部６０に格納される。
交換時期特定部７０は、上記データ記憶部６０に格納されている照明交換コストデータＤ１と消費電力コストデータＤ２とに基づいて照明ランニングコストが最も低廉となる照明器具２５の交換時期を特定する。具体的には、照明器具２５を新たに購入するのに要するコストや寿命間近で発光効率の悪化している照明器具２５が無駄に消費している消費電力コスト等を所定の期間内において数値化し、この所定期間内におけるコストが最も低廉になる交換時期を算出して特定する。
【００２８】
出力部８０は、交換時期特定部７０によって特定された交換時期を図示しないモニタ表示等によって出力する。また、出力部８０は、コンビニ店舗端末１０に対して特定時期を知らせるデータを送信して、コンビニ店舗側においてブザー音やモニタ表示させることで、コンビニ店舗の従業員に気づかせるようにすることができる。さらに、出力部８０は、ネットワーク９０を介して、照明販売・交換サービス会社端末３０に対して、照明器具２５の交換を依頼する信号を送信する。
【００２９】
コンビニ店舗端末２０は、コンビニチェーンの店舗毎に設置されており、主として、照明コントローラ２１と、消費電力算出部２２と、照明器具２５とによって構成されている。ここでの照明器具２５としては、蛍光灯、水銀灯、ＬＥＤ等が対象とされている。照明コントローラ２１は、コンビニ本部端末１０の照明制御部５０から送信されてくる照度制御データに基づいて照明器具２５の照度維持制御を行う。そして、消費電力算出部２２は、照明器具２５による消費電力コストを直接算出し、ネットワーク９０を介してコンビニ本部端末１０のデータ記憶部６０に格納させる。これにより、各コンビニ店舗の従業員は消費電力コストのデータを手入力する必要が無くなり、コンビニ本部端末１０のデータ記憶部６０は、照明器具２５による消費電力コストのデータを自動的に格納することができる。このため、コンビニ店舗の従業員は、照明器具２５の交換時期について特段の意識を払う必要がない。
【００３０】
照明販売・交換サービス会社端末３０は、主として、一括購入数別単価入力部３１と、照明販売・交換依頼受付部３２、照明交換時期入力部３３とから構成されている。
一括購入数別単価入力部３１には、一括して購入される照明器具２５の数に応じた単価のデータが入力される。そして、この入力された一括購入数別単価のデータは、ネットワーク９０を介してコンビニ本部端末１０に送信され、データ記憶部６０に格納される。照明販売・交換依頼受付部３２が、コンビニ本部端末１０からの照明器具２５の販売・交換依頼を受付けた場合（例えば、交換時期特定部７０によって特定された交換時期となった場合）には、対応するコンビニ店舗にサービスエンジニアが出向いて、照明器具２５を販売して交換を行う。そして、交換を終えたサービスエンジニアは、照明交換時期入力部３１によって、照明器具２５の交換を行ったこと、すなわち照明器具２５の交換時期を入力する。照明交換時期入力部３１に入力された交換情報は、ネットワーク９０を介してコンビニ本部端末１０のデータ記憶部６０に格納され、照明器具２５の交換時期のデータが更新され、照明交換の履歴が記録される。これにより、照明制御部５０による照度維持制御がリセットされて、改めて新しい照明器具２５の状態に応じた照度維持制御を開始することになる。
なお、照明器具２５の一括購入数別単価のデータは、一括して購入される照明器具２５の数量が多いほど単価が安く設定されている。
【００３１】
＜本実施形態の照明器具交換システム１００の特徴＞
（１）
従来の照明器具の交換は、照明減退特性によって照度が低下するため、照度を一定に保つことができない。また、仮に照度を一定に維持するように照度制御をしたとしても、寿命によって照度が減退し、効率的な発光ができず、同じ照度を維持するために無駄な消費電力コストを消費してしまうことがある。
【００３２】
これに対して、本実施形態における照明器具交換システム１００では、照度制御部５０が照明器具２５について照度維持制御を行うことで、照度を一定に保っている。そして、交換時期特定部７０は、データ記憶部６０に格納されている照明交換コストデータＤ１と消費電力コストデータＤ２とに基づいて照明ランニングコストが最も低廉になる交換時期を特定している。これにより、発光効率が低下した状態の照明器具２５が必要以上に長期間使用されることによる消費電力のロスを削減できる。
【００３３】
例えば、発光効率の低下した照明器具２５の照度維持制御に要する消費電力コストは、徐々に高くなっていく性質がある。このため、トータルとしての照明ランニングコストを考慮する場合には、照明器具２５の寿命が完全に終えるのを待ってから交換するのが望ましいとは限らない。そして、照明器具２５の価格を考慮しても、早めに新しい照明器具２５に交換して発光効率の悪い状態を改善させたほうが、トータルとしての照明ランニングコストを低減できることがある。
【００３４】
このように、ここでは、照明器具の照度を一定とする制御を行いつつ、照明設備に関するランニングコストを削減させることができる。
また、照明器具２５の交換時期が音声、モニタ表示等によって報知されるため、コンビニ店舗やコンビニ本部の従業員は、照明器具２５についての最適交換時期について特別に意識することなく、適切な交換時期を把握できる。
【００３５】
（２）
本実施形態における照明器具交換システム１００では、照明交換コストデータＤ１として、照明器具２５の単価データが一括購入数量別に格納されている。このため、交換時期特定部７０は、発光効率が低下して照度維持制御における消費電力コストが増加しているような照明器具２５の使用を続ける期間を、一括で多量の照明器具２５を比較的安い単価で購入する場合と、一括で少量の照明器具２５を比較的高い単価で購入する場合とのコストの違いに応じた期間として設定できる。このため、照明ランニングコストが最も低廉になる交換時期を特定することができる。
【００３６】
（３）
本実施形態における照明器具交換システム１００では、照度制御部７０は、データ記憶部６０に格納された照度特性データに基づいて照明器具２５の照度が一定になるように、照明コントローラ２１に照度維持制御を実行させている。このため、照明器具２５の特性に応じた照度維持制御が可能になり、初期の余分な照度を抑える等の制御によって、消費電力コストを低減させることが可能になる。
【００３７】
＜他の実施形態＞
以上、本発明の一実施形態について説明したが、本発明は上記実施形態に限定されるものではなく、発明の要旨を逸脱しない範囲で種々の変更が可能である。
（１）
上記実施形態における照明器具交換システム１００では、照明器具２５の交換時期を音声やモニタ表示によって報知する場合について説明した。
【００３８】
このような照明器具２５の交換時期を知らせる報知は、照明交換コストデータＤ１や消費電力コストデータＤ２に基づいてより適した交換時期を予測することにより、交換時期になる旨を早めに報知するようにしてもよい。
これにより、照明販売・交換サービス会社は、より迅速に対応することができるようになり、交換所要期間のロスを低減して、よりいっそう照明ランニングコストを低減することが可能になる。
【００３９】
（２）
上記実施形態における照明器具交換システム１００では、コンビニ店舗端末２０に設けられた消費電力算出部２２が、照明器具２５による消費電力コストを直接算出し、コンビニ本部端末１０のデータ記憶部６０に格納させる場合について例に挙げて説明した。
しかし、本発明はこれに限られるものではなく、コンビニの各店舗の照明コントローラ２１に、各店舗の照明器具２５による消費電力コストを手入力することが可能な消費電力入力部を設けた構成としてもよい。
【００４０】
この場合には、コンビニ店舗の従業員は、電力会社等から送信されてくる消費電力コストのデータ等を参照しつつ、所定の期間中における照明器具２５の消費電力コストのデータを消費電力入力部を介して手入力する。このようにして入力された消費電力コストのデータは、上記実施形態と同様に、ネットワーク９０を介してコンビニ店舗端末１０のデータ記憶部６０において、店舗毎の消費電力コストのデータとして格納される。このため、消費電力入力部を設けた構成であっても、上記実施形態の照明器具交換システム１００と同様の効果を奏することができる。
【００４１】
（３）
上記実施形態における照明器具交換システム１００では、照明器具２５の照度は、コンビニ本部端末１０のデータ記憶部６０に格納された照度減退特性に基づいて照度制御部５０による照度維持制御が行われ、コンビニ店舗の照度が一定に維持されている。
しかし、本発明はこれに限られるものではなく、例えば、コンビニ店舗において、照度を測定する照度センサを設けて、照度センサによって測定された照度に応じて供給電力を変更するようにして照度維持制御を行ってもよい。この場合であっても、上記実施形態と同様の効果が得られる。
【００４２】
（４）
上記実施形態における照明器具交換システム１００では、複数の照明器具２５を同時に購入した場合に、照明器具２５の単価が安くなる場合について例に挙げて説明した。
しかし、本発明はこれに限られるものではなく、照明器具２５の単価が一括購入数量によらない固定値であってもかまわない。この場合には、例えば、照明器具２５の消費電力量のみに基づいて最適な交換時期を特定するようにしてもよい。
【産業上の利用可能性】
【００４３】
本発明によれば、照明器具の照度を一定とする制御を行いつつ、照明設備に関するランニングコストを削減させることが可能になるため、照度減退等によって寿命となる照明器具の交換時期を特定する照明交換時期特定システム等への適用が特に有用である。
【図面の簡単な説明】
【００４４】
【図１】本発明の一実施形態に係る照明器具交換システムの概略図。
【図２】照明器具交換システムのブロック構成図。
【図３】照明器具の経時特性を示す図。
【符号の説明】
【００４５】
１０    コンビニ本部
２０    コンビニ店舗
２１    照明コントローラ（照度制御部）
２２    消費電力算出部（消費データ取得部）
２５    照明器具
３０    照明販売・交換サービス会社
３１    一括購入数量別単価入力部
３２    照明販売・交換依頼受付部
３３    照明交換時期入力部
５０    照度制御部
６０    データ記憶部
６５    データ入力部（消費データ取得部）
７０    交換時期特定部
８０    出力部
９０    ネットワーク
１００    照明器具交換システム（照明交換時期特定システム）
Ｄ１    照明交換コストデータ（交換コストデータ）
Ｄ２    消費電力コストデータ（消費データ）
【図１】
2007059133.tif 000003
【図２】
2007059133.tif 000004
【図３】
2007059133.tif 000005